(57)【要約】    【課題】  施工性がよく、架構体の変形時でも内装パネルや内装仕上げ材の損傷を抑制することが可能なカーテンウォールタイプの外壁の構造を提供すること。    【解決手段】  柱と梁３とからなる架構体２に取り付けられたカーテンウォールタイプの外壁１の構造である。外壁１は、外装パネル４と、その屋内側に配された内装パネル５とを含む。外装パネル４は、梁３に、取付金具６を介して支持されている。外装パネル４の屋内側には、外装パネル４に固定された受け金物８を介して外装パネル４に対して相対移動可能に横架材１０が支持されている。内装パネル５は、横架材１０に固定されている。【選択図】  図１
2018053523.tif 000002
【特許請求の範囲】
【請求項１】
柱と梁とからなる架構体に取り付けられたカーテンウォールタイプの外壁の構造であって、
前記外壁は、外装パネルと、その屋内側に配された内装パネルとを含み、
前記外装パネルは、前記梁に、取付金具を介して支持されており、
前記外装パネルの屋内側には、前記外装パネルに固定された受け金物を介して前記外装パネルに対して相対移動可能に横架材が支持されており、
前記内装パネルは、前記横架材に固定されている外壁の構造。
【請求項２】
前記外装パネルは、連続する平面を構成するように横方向に並べられており、
前記横架材は、前記横方向に並ぶ少なくとも２枚の前記外装パネルに跨るように前記受け金物で支持されている請求項１記載の外壁の構造。
【請求項３】
前記内装パネルは、連続する平面を構成するように横方向に並べられており、
前記内装パネルは、前記横方向に並ぶ少なくとも２枚の前記外装パネルに跨るように固定されている請求項１又は２記載の外壁の構造。
【発明の詳細な説明】
【技術分野】
【０００１】
本発明は、外壁の構造に関し、詳しくは、ビルや住宅等の建物のカーテンウォールタイプの外壁の構造に関する。
【背景技術】
【０００２】
従来、カーテンウォールタイプの外壁の構造（即ち、外壁が実質的に建物の荷重を負担しない構造）が種々提案されている。例えば、下記特許文献１では、建物の架構体を構成する梁に、断面略Ｌ字状の取付金物を固着し、この金物に、外壁パネルをボルトにて固定する方法が提案されている。
【０００３】
また、近年では、カーテンウォールタイプの外壁の構造として、外壁が、外装パネルと、内装パネルとに分離されているものが下記特許文献２で提案されている。特許文献２の外壁では、内装パネルは、梁に固定された金物を介して、固定されている。
【先行技術文献】
【特許文献】
【０００４】
【特許文献１】特開２００４−３１６１０６号公報
【特許文献２】特開２０１５−１５８０６５号公報
【発明の概要】
【発明が解決しようとする課題】
【０００５】
しかしながら、特許文献２の構成では、内装パネルの施工精度にばらつきがあり、改善の余地があった。また、特許文献１の構造では、地震等によって架構体が大きく変形した場合、内装パネルを介して内装仕上げ材が損傷を受けやすいという問題があった。
【０００６】
本発明は、上記の実情に鑑み案出なされたもので、その目的は、施工性がよく、架構体の変形時でも内装パネルや内装仕上げ材の損傷を抑制することが可能なカーテンウォールタイプの外壁の構造を提供することである。
【課題を解決するための手段】
【０００７】
本発明は、柱と梁とからなる架構体に取り付けられたカーテンウォールタイプの外壁の構造であって、前記外壁は、外装パネルと、その屋内側に配された内装パネルとを含み、前記外装パネルは、前記梁に、取付金具を介して支持されており、前記外装パネルの屋内側には、前記外装パネルに固定された受け金物を介して前記外装パネルに対して相対移動可能に横架材が支持されており、前記内装パネルは、前記横架材に固定されているものである。
【０００８】
本発明の他の態様によれば、前記外装パネルは、連続する平面を構成するように横方向に並べられており、前記横架材は、前記横方向に並ぶ少なくとも２枚の前記外装パネルに跨るように前記受け金物で支持されても良い。
【０００９】
本発明の他の態様によれば、前記内装パネルは、連続する平面を構成するように横方向に並べられており、前記内装パネルは、前記横方向に並ぶ少なくとも２枚の前記外装パネルに跨るように固定されても良い。
【発明の効果】
【００１０】
本発明は、柱と梁とからなる架構体に取り付けられたカーテンウォールタイプの外壁の構造であって、前記外壁は、外装パネルと、その屋内側に配された内装パネルとを含み、前記外装パネルは、前記梁に、取付金具を介して支持されており、前記外装パネルの屋内側には、前記外装パネルに固定された受け金物を介して前記外装パネルに対して相対移動可能に横架材が支持されており、前記内装パネルは、前記横架材に固定されていることを特徴とする。
【００１１】
上記のように構成された外壁によれば、内装パネルは、外装パネル及び架構体に対して、相対的に移動可能に固定され得る。従って、内装パネルの取付位置は、外装パネル及び又は架構体に対して、容易に調整することができ、ひいては施工性が大幅に向上する。また、内装パネルは、外装パネルや架構体からの力が実質的に伝達されないので、地震等によって架構体が大きく変形した場合でも、内装パネルや内装仕上げ材の損傷を効果的に防止することができる。
【図面の簡単な説明】
【００１２】
【図１】本実施形態の外壁の構造を示す縦断面図である。
【図２】本実施形態の外装パネルの斜視図である。
【図３】図１の要部拡大図である。
【図４】図２の外装パネルに受け金物を固定した状態を示す斜視図である。
【図５】図４の外装パネルの受け金物に横架材を支持させた状態を示す斜視図である。
【図６】本実施形態の内装パネルの斜視図である。
【図７】図５の横架材に内装パネルを固定する工程を示す斜視図である。
【発明を実施するための形態】
【００１３】
以下、本発明の一実施形態が図面に基づき説明される。
図１は、本実施形態の外壁を示す縦断面図である。本実施形態の外壁１は、例えば、工業化住宅等の建物に好適に利用されており、実質的に建物の荷重を負担しないように、架構体２に取り付けられたカーテンウォールタイプとして構成されている。
【００１４】
架構体２は、柱（図示省略）と梁３とを含んで構成された骨組構造体であり、建物の荷重を本質的に支える部分である。架構体２として、必要により、図示しない耐力フレーム等が含まれても良い。
【００１５】
本実施形態の外壁１は、外装パネル４と、その屋内側に配された内装パネル５とを含んでいる。これらの各パネル４及び５は、いずれも、予め工場で製造された後、現場に搬入されて利用される。
【００１６】
図２には、外装パネル４の単体を屋内側から見た斜視図が示されている。また、図２では、連続する平面を構成するように２つの外装パネル４が横方向に並べられている。図２に示されるように、各外装パネル４は、例えば、上下にのびる縦枠２０と、左右にのびる横枠２２とを略矩形状に配して固着した枠組４Ａと、この枠組４Ａの屋外側の面に固着された外部に露出する外装材４Ｂとを含んで構成されている。
【００１７】
本実施形態において、枠組４Ａには、縦桟２６が適宜配されている。各枠材には、例えば、溝形鋼が用いられている。また、外装材４Ｂには、例えば、ＡＬＣ板が採用されている。
【００１８】
図３には、外装パネル４と梁３との固定部分の拡大図が示されている。図３に示されるように、外装パネル４は、梁３に、取付金具６を介して支持されている。本実施形態の取付金具６は、梁３の下側のフランジ３ａにボルトで固定されて屋外側へ略水平にのびる横片６Ａと、横片６Ａから下方にのびる縦片６Ｂとを含んだ略横向きＬ字状の金物として構成されている。縦片６Ｂには、外装パネル４の例えば縦枠２０（又は縦桟２６）が、ボルトで固定されている。これにより、外装パネル４が、梁３に固定される。なお、外装パネル４の上側及び下側が、それぞれ上述の取付金具６で支持されていることが望ましい。また、取付金具６は、梁３に沿って水平方向に複数個設けられているが望ましい。
【００１９】
図３に示されるように、外装パネル４の屋内側には、受け金物８が固定されている。好ましい態様では、受け金物８は、例えば、現場での施工時に、外装パネル４に固定される。受け金物８は、図３及び図４に拡大して示されるように、それぞれ、ほぼ９０°の角度で折り曲げられた第１片８Ａ、第２片８Ｂ及び第３片８Ｃからなる略Ｚ字状部分を含む金属製の板状金物で構成されている。第１片８Ａは、外装パネル４の縦枠２０の屋内側を向く面に沿って配され、例えば、ドリルビス等で縦枠２０に固定されている。これにより、縦枠２０と、受け金物８の第２片８Ｂ及び第３片８Ｃとにより、上部が開放された溝状の支持空間９が提供される。この受け金物８は、図４に示されるように、外装パネル４の左右両側に、互いに同じ高さで固定されている。
【００２０】
図５には、外装パネル４を屋内側から見た要部斜視図が示されている。図５に示されるように、受け金物８には、横架材１０が支持されている。
【００２１】
横架材１０は、例えば、長尺な木質材からなり、受け金物８と外装パネル４の縦枠２０とにより形成される前記支持空間９に、上方から挿入されることで固定されている。本実施形態の横架材１０は、前記支持空間９と実質的に等しい幅Ｗを有する差込部分１０ａと、その上部側で前記幅よりも大きい幅を有する上側部分１０ｂとを有する。
【００２２】
横架材１０は、差込部分１０ａが支持空間９に差し込まれる（実質的に圧入される）ことで受け金物８に対して固定されている。即ち、横架材１０は、支持空間９への差込のみで固定されており、釘やビス等の固定具で外装パネル４に対しては固定されていない。これにより、横架材１０は、外装パネル４に対して相対移動可能に支持されている。また、横架材１０の上側部分１０ｂは、受け金物８の第３片から上方にはみ出し、かつ、受け金物８の第３片８Ｃよりも屋内側に突出するように配置される。
【００２３】
図５の実施形態では、各外装パネル４に、外装パネル４の横架材１０が支持されている。他の実施態様では、１本の横架材１０が、横方向に並ぶ少なくとも２枚の外装パネル４、４に跨って支持されても良い（図示省略）。この場合、横架材１０が、受け金物８の上記支持空間９内に圧入されることによって、横方向に並べられた少なくとも２枚の外装パネル４、４の面合わせを行うことが可能になる。
【００２４】
図６には、内装パネル５を屋内側から見た斜視図が示される。図６に示されるように、内装パネル５は、例えば、上下にのびる縦枠３０と左右にのびる横枠３２とを略矩形状に配して固着した枠組５Ａと、この枠組５Ａ内に充填された断熱材５Ｂと、断熱材５Ｂを屋内側から覆う防湿シート５Ｃとを含んで構成されている。
【００２５】
本実施形態において、内装パネル５の枠組５Ａには、例えば、横枠桟３４や縦枠桟３６が適宜配されている。各枠材には、例えば、木質材が好適に用いられる。また、枠組５Ａの上側の横枠３２には、例えば、天井下地を固定するための補助枠３８が固定されている。
【００２６】
図１及び図３に示されるように、本実施形態において、内装パネル５は、横架材１０に固定されている。
【００２７】
図７には、内装パネル５の施工手順の一例が示されている。図７に示されるように、内装パネル５は、例えば、屋内側から外装パネル４に向けて位置合わせされる。この際、複数の内装パネル５が、連続する平面を構成するように横方向に並べられる。また、位置合わせの際、図１に示されるように、各内装パネル５は、その下側の横枠３２が、下階の梁３で支持された床下地材１３上に載置されることで、建物内に上下方向で正確に位置合わせされ得る。
【００２８】
その後、図７に示されるように、例えば、屋内側から、内装パネル５の縦枠３０に、ビス１２が打ち込まれる。これらのビス１２は、外装パネル４には達することなく、内装パネル５を、横架材１０の上側部分１０ｂに一体に固定することができる。この際、内装パネル５の縦枠３０は、横架材１０の上側部分１０ｂと当接し、受け金物８とは隙間を介して位置する。これにより、内装パネル５の縦枠３０と受け金物８とが直接接触することを防止でき、横架材１０の受け金物８に対する相対移動が、確実に保証され得る。また、内装パネル５の縦枠３０と受け金物８とが直接接触することを防止することにより、強風等の建物の微小変形時等に、両者が擦れることで生じがちな異音等の発生を防止することもできる。
【００２９】
また、好ましい態様では、図１に示されるように、内装パネル５の下側の横枠３２が床下地材１３上にビス１４で固定される。
【００３０】
しかる後、慣例に従い、例えば、石膏ボード等の内装仕上げ材１５が内装パネル５の屋内側に固定される。また、断面コ字状のランナー受け材１６が、内装パネル５の補助枠３８に固定され、ランナー１７及び天井下地材１８が施工される。さらに、床下地材１３の上に床仕上げ材１９が配される。なお、図１及び３において、構造を理解しやすくするために、架構体周りの断熱材や、外装パネル４と内装パネル５との間の断熱材等は、省略されている。
【００３１】
以上のように構成された外壁１によれば、内装パネル５は、外装パネル４及び架構体２に対して、相対的に移動可能に固定されることになる。従って、内装パネル５の取付位置は、外装パネル４及び又は架構体２に対して、容易に調整することができ、ひいては内装パネル５の施工性が大幅に向上する。また、内装パネル５は、外装パネル４や架構体２から実質的に力が伝達されないので、地震等によって架構体が大きく変形した場合でも、内装パネルや内装仕上げ材の損傷を効果的に防止することができる。
【００３２】
好ましい態様では、図７に示したように、一つの内装パネル５は、連続する平面を形成するように横方向に並ぶ少なくとも２枚の外装パネル４の両側に跨るようにして固定されても良い。この場合、当該内装パネル５が横架材１０に固定されることによって、横方向に並ぶ少なくとも２枚の外装パネル４、４の面合わせを行いうる利点がある。
【００３３】
以上、本発明の実施形態が詳細に説明されたが、本発明は、上記実施形態に限定されるものではなく、種々の態様に変更して実施しうるのは言うまでもない。
【符号の説明】
【００３４】
１  外壁
２  架構体
３  梁
４  外装パネル
５  内装パネル
６  取付金具
８  受け金物
９  支持空間
１０  横架材
１２  ビス
【図１】
2018053523.tif 000003
【図２】
2018053523.tif 000004
【図３】
2018053523.tif 000005
【図４】
2018053523.tif 000006
【図５】
2018053523.tif 000007
【図６】
2018053523.tif 000008
【図７】
2018053523.tif 000009